(57)【要約】      （修正有）【課題】火事が発生すると、その火事を発見して、火事が発生している部位へ水あるいは消火液等の消火剤を放射して消火することができる消火装置を提供する。【解決手段】水あるいは消火液等の消火剤が収納された消火剤収納タンク３と、この消火剤収納タンク３内に手動あるいは自動で投入することができる水中ポンプ５、あるいは消火剤収納タンク３内に手動あるいは自動で吸引ホース４ａを投入することができる該消火剤収納タンク３外に設置された吸引ホースを備えたポンプ５及びモータを用いた消火剤供給装置と、このポンプ５、あるいは消火剤供給装置の駆動によって消火剤収納タンク３内の水あるいは消火液等の消火剤をホース４ａを介して火事が発生する部位へ放射できる火事が発生する部位に設置される放射ノズル４とで消火装置１を構成している。【選択図】図１
0003211612.tif 000002
【実用新案登録請求の範囲】
【請求項１】
水あるいは消火液等の消火剤が収納された消火剤収納タンクと、この消火剤収納タンク内に手動あるいは自動で投入することができる水中ポンプ、あるいは消火剤収納タンク内に手動あるいは自動で吸引ホースを投入することができる該消火剤収納タンク外に設置された吸引ホースを備えたポンプ及びモータを用いた消火剤供給装置と、この水中ポンプ、あるいは消火剤供給装置の駆動によって前記消火剤収納タンク内の水あるいは消火液等の消火剤をホースを介して火事が発生する部位へ放射できる火事が発生する部位に設置される放射ノズルとからなることを特徴とする消火装置。
【考案の詳細な説明】
【技術分野】
【０００１】  本考案は火事が発生すると、その火事を発見あるいは自動で発見して、火事が発生している部位あるいは火事が発生しそうな部位に配置された放射ノズルへ、水あるいは消火液等の消火剤を供給して、放射して火事を消火することができる消火装置に関する。
【背景技術】
【０００２】  従来、火事が発生すると、自動的にその火事を検知して警報する火災警報器が実用化されている。
しかし、この火災警報器は発生した火災を警報するだけであるため、火事が発生した部位に、素早く人手で水あるいは消火液を掛けなければ消火することができないとともに、人手で水あるいは消火液を掛けるまでに手数がかかり、消火までに時間がかかるという欠点があった。
また、水あるいは消火液等の消火剤を消火剤収納タンク内に水中ポンプ、あるいはポンプ及びモータを用いた消火剤供給装置を収納した状態で設置するものが本出願人によって考えられているが、これは、長期間、消火剤が収納された消火剤収納タンク内に水中ポンプ、あるいはポンプ及びモータを用いた消火剤供給装置を収納しておくので、パッキン等が損傷して水中ポンプ、あるいはポンプ及びモータを用いた消火剤供給装置が故障して使用できなくなるという欠点があった。
【先行技術文献】
【特許文献】
【０００３】
【特許文献１】特開２０１６−０１８５３０
【考案の概要】
【考案が解決しようとする課題】
【０００４】  本考案は以上のような従来の欠点に鑑み、火事が発生すると、その火事を発見し、消火剤収納タンク内に水中ポンプ、あるいは消火剤収納タンク外に設置されたポンプ及びモータの消火剤供給装置の吸引ホースを消火剤収納タンク内に手動あるいは自動で投入して、火事が発生している部位あるいは火事が発生しそうな部位に配置された放射ノズルへ、水あるいは消火液等の消火剤を供給して放射し、消火することができる消火装置を提供することを目的としている。【０００５】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】  上記目的を達成するために、本考案は水あるいは消火液等の消火剤が収納された消火剤収納タンクと、この消火剤収納タンク内に手動あるいは自動で投入することができる水中ポンプ、あるいは消火剤収納タンク内に手動あるいは自動で吸引ホースを投入することができる該消火剤収納タンク外に設置された吸引ホースを備えたポンプ及びモータを用いた消火剤供給装置と、この水中ポンプ、あるいは消火剤供給装置の駆動によって前記消火剤収納タンク内の水あるいは消火液等の消火剤をホースを介して火事が発生する部位へ放射できる火事が発生する部位に設置される放射ノズルとで消火装置を構成している。
【考案の効果】
【０００７】  以上の説明から明らかなように、本考案にあっては次に列挙する効果が得られる。
（１）火事が発生すると、消火剤収納タンク内に手動あるいは自動で水中ポンプを投入あるいは消火剤収納タンク外に設置されたポンプ及びモータの消火剤供給装置の吸引ホースを消火剤収納タンク内に投入して、水中ポンプをあるいは消火剤供給装置を駆動させて放射ノズルより、水あるいは消火液等の消火剤を放射して、消火することができる。
このため、消火液等の消火剤を放射するまで、水中ポンプや吸引ホースが消火剤収納タンク内に収納されていないので、消火剤収納タンク内の水あるいは消火液等の消火剤によって、水中ポンプやポンプ及びモータの消火剤供給装置が損傷することなく確実に駆動させることができる。【０００８】（２）前記（１）により、火事が発生すると、消火剤収納タンク内に手動あるいは自動で水中ポンプを投入あるいは消火剤収納タンク外に設置されたポンプ及びモータの消火剤供給装置の吸引ホースを消火剤収納タンク内に投入し、手動の場合は水中ポンプあるいは消火剤供給装置を駆動させ、自動の場合は水中ポンプあるいは消火剤供給装置が自動的に駆動して、放射ノズルより、水あるいは消火液等の消火剤を放射することができる。【０００９】（３）前記（１）により、長期間設置された状態でも、水中ポンプやポンプ及びモータの消火剤供給装置が消火剤収納タンク内の水あるいは消火液等の消火剤によって、損傷することなく確実に駆動ので、安全に使用することができる。【００１０】（４）前記（１）により、自動で水中ポンプを投入あるいは消火剤収納タンク外に設置されたポンプ及びモータの消火剤供給装置の吸引ホースを消火剤収納タンク内に投入する作業は火事の検出センサーと連動させることにより簡単に実施することができる。【００１１】（５）前記（１）により、歩けない寝たきりの人でも、ベッドあるいは寝具の使用者が寝た状態での遠隔操作で、水中ポンプを消火剤収納タンク内に投入したり、あるいは消火剤収納タンク外に設置されたポンプ及びモータの消火剤供給装置の吸引ホースを消火剤収納タンク内に投入する作業をできるようにすることにより、火事を確実に消火することができ、身の安全を図ることができる。
【図面の簡単な説明】
【００１２】
【図１】本考案を実施するための最良の第１の形態の概略正面図。
【図２】本考案を実施するための最良の第１の形態の概略平面図。
【図３】本考案を実施するための最良の第２の形態の概略正面図。
【図４】本考案を実施するための最良の第２の形態の消火剤収納タンクおよび水中ポンプの説明図。
【図５】本考案を実施するための最良の第２の形態の消火剤収納タンクおよび水中ポンプの平面図。
【図６】本考案を実施するための最良の第３の形態の概略平面図。
【図７】本考案を実施するための最良の第３の形態の消火剤収納タンクおよび水中ポンプの説明図。
【図８】本考案を実施するための最良の第３の形態の消火剤収納タンクおよび水中ポンプの平面図。
【図９】本考案を実施するための最良の第４の形態の概略正面図。
【図１０】本考案を実施するための最良の第４の形態の消火剤収納タンクおよび水中ポンプの説明図。
【図１１】本考案を実施するための最良の第４の形態の消火剤収納タンクおよび水中ポンプの平面図。
【本考案を実施するための最良の形態】
【００１３】  以下、図面に示す本考案を実施するための最良の形態により、本考案を詳細に説明する。
【００１４】  図１および図２に示す本考案を実施するための最良の第１の形態において、１は本考案の寝たばこやコンロ等が原因で火事が発生すると、その火事を検知して、火事が発生している部位あるいは火事が発生している部位およびその周囲に水あるいは消火液等の消火剤２を放射して消化することができる消火装置で、この消火装置１は水あるいは消火液等の消火剤２が収納された消火剤収納タンク３と、この消火剤収納タンク３内の水あるいは消火液等の消火剤２を火事が発生する部位あるいは火事が発生している部位およびその周囲に放射することができるように固定的あるいは任意に設置することができる巻き取りホース４ａを介して設けられた放射ノズル４と、この放射ノズル４へ巻き取りホース４ａを介して水あるいは消火液等の消火剤２を供給することができる前記消火剤収納タンク４内に手動で投入できる電線５ａに接続された水中ポンプ５と、火事が発生しそうな部位あるいは火事が発生しそうな部位で発生する火事を検知して、火事が発生したことを知らせる火災検知器６と、前記水中ポンプ５に取り付けられた該水中ポンプ５を駆動させるスイッチ７とで構成されている。
【００１５】  上記構成の消火装置１は例えば寝たばこができる布団８の外側に配置した灰皿９および該灰皿９の周囲にも前記放射ノズル４を設置する。
この状態で寝たばこを行い、寝たばこ中に寝てしまい、灰皿９および灰皿９の周辺で火災が発生した場合、発生した火事で火事が発生したことを知ったり、あるいは火災検知器６によって、火事が発生したことを知ると、消火剤収納タンク３内に水中ポンプ５のスイッチ７をオンにして、投入することにより、消火剤収納タンク３内の水あるいは消火液等の消火剤２を水中ポンプ５によって、巻き取りホース４ａを介して放射ノズル４より放射され、発生した火事を消火する。
なお、前記消火剤収納タンク３には開閉蓋を設置したものを用いてもよい。また、前記水中ポンプ５は前記消火剤収納タンク３内に投入することにより、該消火剤収納タンク３内の水あるいは消火液等の消火剤２によって、自動的に駆動するスイッチを設けたものを使用してもよい。
【本考案を実施するための異なる形態】
【００１６】  次に、図３ないし図１１に示す本考案を実施するための異なる形態につき説明する。なお、これらの本考案を実施するための異なる形態の説明に当たって、前記本考案を実施するための第１の形態と同一構成部分には同一符号を付して重複する説明を省略する。
【００１７】  図３ないし図５に示す本考案を実施するための第２の形態において、前記本考案を実施するための第１の形態と主に異なる点は開閉蓋１０を設置した消火剤収納タンク３Ａを用いるとともに、該消火剤収納タンク３Ａの開閉蓋１０に水中ポンプ５の投入孔１１を形成し、該投入孔１１を前記水中ポンプ５を支持しながら閉じる手動操作で開閉できるスライド板１２を用いた消火装置１Ａにした点で、このような消火装置１Ａにしても、火事が発生すると水中ポンプ５のスイッチ７をオンにして、スライド板１２をスライド移動させて投入孔１１を開口させるとともに、水中ポンプ５を消火剤収納タンク３Ａ内に投入することにより、巻き取りホース４ａを介して放射ノズル４より水あるいは消火液等の消火剤２を放射することができ、前記本考案を実施するための第１の形態と同様な作用効果が得られる。
なお、スライド板１２を電磁石等を用いて自動的に火事が発生すると開放させて水中ポンプ５を消火剤収納タンク３Ａ内に自動的に投入できるようにしてもよい。また、水中ポンプ５は消火剤収納タンク３Ａ内に投入されると消火剤収納タンク３Ａ内の水あるいは消火液等の消火剤２によって、自動的に駆動するスイッチを設けたものを使用してもよい。
【００１８】  図６ないし図８に示す本考案を実施するための第３の形態において、前記本考案を実施するための第２の形態と主に異なる点は、スライド板１２上に水中ポンプ５を設置し、火事が発生するとスライド板１２をスライド移動させて、消火剤収納タンク３Ａ内に水中ポンプ５を投入することができるようにした消火装置１Ｂにした点で、このような消火装置１Ｂにしても火事が発生すると水中ポンプ５を駆動させて消火剤収納タンク３Ａ内に投入することにより、放射ノズル４より水あるいは消火液等の消火剤２を放射し、発生した火事を消火することができ、前記本考案を実施するための第２の形態と同様な作用効果が得られる。
【００１９】  図９ないし図１１に示す本考案を実施するための第４の形態において、前記本考案を実施するための第３の形態と主に異なる点は、消火剤収納タンク３Ａの上部を該消火剤収納タンク３Ａ内に入ることができるヒンジ部材１３で取り付けられた開閉蓋１０Ａで覆うとともに、このヒンジ部材１３の反対側をヒンジ部材１４で取り付けられた開閉蓋支持板１５および該開閉蓋支持板１５を解放する電磁石１６を用いた開閉蓋解放機構１７を用いた点で、このように構成した消火装置１Ｃにしても火事が発生すると開閉蓋解放機構１７の電磁石１６が作動して開閉蓋支持板１５を解放することによって、開閉蓋１０Ａ上の水中ポンプ５を消火剤収納タンク３Ａ内に投入することができ、前記本考案を実施するための第３の形態と同様な作用効果が得られる。る。
なお、火事が発生すると自動的に電磁石１６が作動したり、水中ポンプ５が消火剤収納タンク３Ａ内に投入されると該消火剤収納タンク３Ａ内の水あるいは消火液等の消火剤２によって、水中ポンプ５が駆動できるようにしておくことにより、自動的に発生する火事を消火することができる。
【００２０】  また、水中ポンプ５に変えて、吸引ホースを備えたポンプと、モーターとからなる消火剤供給装置を消火剤収納タンク３、３Ａの外側に設置し、火事の時に消火剤収納タンク３、３Ａ内に吸引ホースを投入できるようにしたり、あるいは消火剤収納タンク３Ａの開閉蓋１０Ａやスライド板１２を解放することにより、自動的に吸引ホースが消火剤収納タンク３Ａ内に投入できるようにしてもよい。
【産業上の利用可能性】
【００２１】  本考案は火事が発生するすると、その火事を発見して、火事が発生している部位へ、水あるいは消火液等の消火剤を放射して消火することができる消火装置を製造する産業で利用される。
【符号の説明】
【００２２】１、１Ａ、１Ｂ、１Ｃ：消火装置、
２：水あるいは消火液等の消火剤、
３、３Ａ：消火剤収納タンク、
４ａ：巻き取りホース、
４：放射ノズル、
５：水中ポンプ、
６：火災検知器、
７：スイッチ、
８：布団、
９：灰皿、
１０、１０Ａ：開閉蓋、
１１：投入孔、
１２：スライド板、
１３：ヒンジ部材、
１４：ヒンジ部材、
１５：開閉蓋支持板、
１６：電磁石、
１７：開閉蓋解放機構。
【図１】
0003211612.tif 000003
【図２】
0003211612.tif 000004
【図３】
0003211612.tif 000005
【図４】
0003211612.tif 000006
【図５】
0003211612.tif 000007
【図６】
0003211612.tif 000008
【図７】
0003211612.tif 000009
【図８】
0003211612.tif 000010
【図９】
0003211612.tif 000011
【図１０】
0003211612.tif 000012
【図１１】
0003211612.tif 000013